【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】
インクを表面に送出するペン先と、
前記ペン先が所定の表面に近接すると検出を行い、検出時に制御信号を生成する検知手段と、
前記制御信号に応答して、前記ペン先が前記所定の表面にインクを送出するのを自動的に妨げるモード選択機構と、
を備えることを特徴とする筆記具。
【請求項２】
前記モード選択機構はスタイラス先端を備え、前記スタイラス先端は、前記ペン先を越えて延長する延長位置と、後退位置との間で移動可能であることを特徴とする請求項１に記載の筆記具。
【請求項３】
前記モード選択機構は、前記制御信号に応答して前記ペン先へのインクの送出を妨げるインク送出機構を備えることを特徴とする請求項１または２に記載の筆記具。
【請求項４】
前記インク送出機構は、前記ペン先の前記所定の表面への接触が妨げられるように前記ペン先を後退させる手段を備えることを特徴とする請求項３に記載の筆記具。
【請求項５】
前記インク送出機構は、インク貯蔵部を備え、前記インク貯蔵部は、前記インク貯蔵部が前記ペン先とつながる第１の位置と、前記インク貯蔵部が前記ペン先とのつながりを解除される第２の位置との間で移動可能であり、前記インク送出機構は、前記制御信号に応答して、前記インク貯蔵部を前記第１の位置から前記第２の位置に移動させることを特徴とする請求項３に記載の筆記具。
【請求項６】
前記ペン先は、前記ペン先内にある凹所の中に回転可能に取り付けられたボールを備え、前記ボールは、前記ボールが移動するところの表面上にインクを送出し、前記インク送出機構は、前記制御信号に応答して前記ボールの回転を妨げる抑制手段を備えることを特徴とする請求項３に記載の筆記具。
【請求項７】
前記検知手段はさらに、前記ペン先が後退して前記所定の表面に近接しなくなると検出を行い、このさらなる検出がなされた時にはさらなる制御信号を生成することを特徴とする請求項１から６までのいずれか１項に記載の筆記具。
【請求項８】
前記入力モード選択機構は、さらに、前記さらなる制御信号に応答して前記ペン先の使用を再び可能にすることを特徴とする請求項７に記載の筆記具。
【請求項９】
前記所定の表面は電子デバイスの入力面であることを特徴とする請求項１から８までのいずれか１項に記載の筆記具。
【請求項１０】
前記検知手段は、前記入力面からの反射光を検出するセンサであることを特徴とする請求項９に記載の筆記具。
【請求項１１】
前記検知手段は、前記入力面から発せられた電磁界を検出するセンサを備えることを特徴とする請求項９に記載の筆記具。
【請求項１２】
前記検知手段は、前記入力面から発せられた偏光を検出するセンサを備えることを特徴とする請求項９に記載の筆記具。
【請求項１３】
前記筆記具は、前記検知手段および前記モード選択機構につながれた電源をさらに備えることを特徴とする請求項１から１２までのいずれか１項に記載の筆記具。
【請求項１４】
前記筆記具は、前記検知手段および前記モード選択機構につながれた電源をさらに備え、
前記モード選択機構は、前記スタイラス先端を前記延長位置と前記後退位置との間で移動させる間にのみ前記電源から電力が供給されることを特徴とする請求項２に記載の筆記具。
【請求項１５】
前記筆記具は、前記検知手段および前記モード選択機構につながれた電源をさらに備え、
前記モード選択機構は、前記ペン先へのインクの流れを妨げる時にのみ前記電源から電力が供給されることを特徴とする請求項５に記載の筆記具。
【請求項１６】
前記筆記具は、前記制御信号が生成される時に、音声的なおよび／または視覚的な確認信号を生成することを特徴とする請求項１から１５までのいずれか１項に記載の筆記具。
【請求項１７】
前記筆記具は、前記入力モード選択機構を手で作動させる手動稼動手段をさらに備えることを特徴とする請求項１から１６までのいずれか１項に記載の筆記具。
【請求項１８】
前記筆記具は、前記入力モード選択機構を作動させる音声認識ユニットをさらに備えることを特徴とする請求項１から１７までのいずれか１項に記載の筆記具。
【請求項１９】
入力面を有する電子デバイスと筆記具との組み合わせであって、前記筆記具は、
書込み面にインクを送出するペン先と、
前記ペン先が前記電子デバイスの入力面に対して近接すると検出を行い、検出時に制御信号を生成して、前記電子デバイスの前記入力面へのインクの送出を妨げるセンサと、
を備えることを特徴とする電子デバイスと筆記具の組み合わせ。
【請求項２０】
前記筆記具は、請求項１から１８までのいずれか１項に記載の筆記具であることを特徴とする請求項１９に記載の組み合わせ。
【請求項２１】
前記電子デバイスは、少なくとも１つの特有の特性を有し、前記センサは、前記少なくとも１つの特有の特性を検出し、この検出がなされた時だけ前記制御信号を生成することを特徴とする請求項１９または２０に記載の組み合わせ。
【請求項２２】
前記電子デバイスは個人用携帯型情報端末であることを特徴とする請求項１９から２１までのいずれか１項に記載の組み合わせ。
【請求項２３】
インクを表面に送出するペン先を有する筆記具を、電子デバイスの入力面上で入力スタイラスとして用いる方法であって、
前記筆記具が前記入力面に近接することを検知することと、
前記ペン先が前記入力面にインクを送出するのを自動的に妨げることと、
を含むことを特徴とする方法。
【請求項２４】
前記入力面に近接することを検知することは、前記入力面からの反射光を検出することであることを特徴とする請求項２３に記載の方法。
【請求項２５】
前記入力面に近接することを検知することは、前記入力面から発せられた電磁界を検出することであることを特徴とする請求項２３に記載の方法。
【請求項２６】
前記入力面に近接することを検知することは、前記入力面から発せられた偏光を検出することであることを特徴とする請求項２３に記載の方法。
【請求項２７】
前記入力面に近接することを検知することは、前記電子デバイスから発せられた電磁界を検出することであることを特徴とする請求項２３に記載の方法。
【請求項２８】
前記ペン先がインクを送出するのを妨げることは、前記ペン先が前記入力面との接触を妨げられるように前記ペン先を後退させることであることを特徴とする請求項２３から２７までのいずれか１項に記載の方法。
【請求項２９】
前記ペン先がインクを前記入力面に送出するのを妨げることは、スタイラス先端を前記ペン先を超えて延長させることであることを特徴とする請求項２３から２７までのいずれか１項に記載の方法。
【請求項３０】
前記筆記具は、前記ペン先との間で流体が導通するインク貯蔵部を備え、前記ペン先がインクを前記入力面に送出するのを妨げることは、前記流体の導通を遮ることであることを特徴とする請求項２３から２７までのいずれか１項に記載の方法。
【請求項３１】
インクを表面に送出するペン先と、
前記ペン先が所定の表面と近接する時に検出を行い、検出が行われた時に制御信号を生成する検知手段と、
前記制御信号に応答して、前記ペン先が前記表面に近接することを示す警告信号を与える警告手段と、
を備えることを特徴とする筆記具。
【請求項３２】
前記警告信号は、音声信号および／または視覚信号であることを特徴とする請求項３１に記載の筆記具。